(57)【要約】【課題】  環状溝と出口通路の接続部及び環状溝と出口通路の接続部の下方の出口通路を簡単な構造で掃除できるディスク式スチームトラップを提供する。【解決手段】  内外輪弁座６，７の間の環状溝８の一部から形成した出口通路１０に短冊状の平板を螺旋状に巻いて作ったつる巻き形をもう一度螺旋状に巻いて２重つる巻き形に形成したバイメタル１３を配置する。低温時にバイメタル１３が伸張して弁ディスク１１を持上げて内外輪弁座６，７から離座開弁させ、高温時にバイメタル１３が収縮して弁ディスク１１に干渉しなくなる。バイメタル１３が伸張収縮するときにバイメタル１３の表面が環状溝８と出口通路１０の接続部１６及び環状溝８と出口通路１０の接続部８の下方の出口通路１０に付着した異物に摺接して環状溝８と出口通路１０の接続部１６及び環状溝８と出口通路１０の接続部８の下方の出口通路１０に付着した異物を掃除する。【選択図】  図１
2014173630.tif 000002
【特許請求の範囲】
【請求項１】
内外輪弁座の間の環状溝の一部から形成した出口通路に短冊状の平板を螺旋状に巻いて作ったつる巻き形をもう一度螺旋状に巻いて２重つる巻き形に形成したバイメタルを配置し、低温時にバイメタルが伸張して弁ディスクを持上げて内外輪弁座から離座開弁させ、高温時にバイメタルが収縮して弁ディスクに干渉しなくなるものにおいて、バイメタルが伸張収縮するときにバイメタルの表面が環状溝と出口通路の接続部及び環状溝と出口通路の接続部の下方の出口通路に付着した異物に摺接して環状溝と出口通路の接続部及び環状溝と出口通路の接続部の下方の出口通路に付着した異物を掃除することを特徴とするディスク式スチームトラップ。
【発明の詳細な説明】
【技術分野】
【０００１】
本発明は、変圧室すなわち熱力学的蒸気室の圧力変化に応じて弁ディスクが開閉することにより、蒸気配管系に発生する復水を自動的に排出するディスク式スチームトラップに関し、特に、バイメタルを用いてエアバインディングを解消できるようにしたものに関する。
【背景技術】
【０００２】
ディスク式スチームトラップは内外輪弁座からなる弁座面に対して離着座する弁ディスクを、弁ディスクの背後に形成した変圧室の圧力変化によって自力的に制御して開閉弁させ復水を自動的に排出するものである。このものにおいては、始動時に空気が流入してきても、蒸気の場合と同様に瞬時に閉弁してしまい、一旦閉弁すると空気は蒸気と異なり凝縮作用を起こさないので、その後は開弁できない、いわゆるエアバインディングが起こる。そこで、従来からバイメタルを用いてこのエアバインディングを解消することが行なわれている。これは、バイメタルの温度変化による湾曲作用を利用して、低温時に弁ディスクを強制的に持上げて開弁させ、高温時に弁ディスクに干渉しない様にしたものである。この一例が特許文献１に示されている。これは、内外輪弁座の間の環状溝の一部から形成した出口通路に短冊状の平板を螺旋状に巻いて作ったつる巻き形をもう一度螺旋状に巻いて２重つる巻き形に形成したバイメタルと該バイメタルに連結した操作部材を配置し、低温時にバイメタルが伸張して操作部材を介して弁ディスクを持上げて内外輪弁座から離座開弁させ、高温時にバイメタルが収縮して操作部材が弁ディスクに干渉しなくなるものにおいて、操作部材に環状溝と出口通路の接続部に摺接して環状溝と出口通路の接続部に付着した異物を掃除する金属ブラシを設けたものである。
【先行技術文献】
【特許文献】
【０００３】
【特許文献１】特開２００２−１４７６８９号公報
【発明の概要】
【発明が解決しようとする課題】
【０００４】
上記従来のディスク式スチームトラップは、環状溝と出口通路の接続部を掃除するために別途金属ブラシを必用とする問題点があった。また、環状溝と出口通路の接続部の下方の出口通路を掃除できない問題点があった。
【０００５】
したがって本発明が解決しようとする課題は、環状溝と出口通路の接続部及び環状溝と出口通路の接続部の下方の出口通路を簡単な構造で掃除できるディスク式スチームトラップを提供することである。
【課題を解決するための手段】
【０００６】
上記の課題を解決するために、本発明のディスク式スチームトラップは、内外輪弁座の間の環状溝の一部から形成した出口通路に短冊状の平板を螺旋状に巻いて作ったつる巻き形をもう一度螺旋状に巻いて２重つる巻き形に形成したバイメタルを配置し、低温時にバイメタルが伸張して弁ディスクを持上げて内外輪弁座から離座開弁させ、高温時にバイメタルが収縮して弁ディスクに干渉しなくなるものにおいて、バイメタルが伸張収縮するときにバイメタルの表面が環状溝と出口通路の接続部及び環状溝と出口通路の接続部の下方の出口通路に付着した異物に摺接して環状溝と出口通路の接続部及び環状溝と出口通路の接続部の下方の出口通路に付着した異物を掃除することを特徴とするものである。
【発明の効果】
【０００７】
本発明によれば、環状溝と出口通路の接続部及び環状溝と出口通路の接続部の下方の出口通路をバイメタルの表面で掃除することにより、環状溝と出口通路の接続部及び環状溝と出口通路の接続部の下方の出口通路を簡単な構造で掃除できるという優れた効果を生じる。
【図面の簡単な説明】
【０００８】
【図１】本発明の実施の形態に係わるディスク式スチームトラップの断面図である。
【発明を実施するための形態】
【０００９】
以下、本発明の実施の形態について、図１を参照して説明する。本体１に同一軸上に入口２と出口３を形成し、この入口２及び出口３と連通する変圧室４を蓋部材５と本体１とで形成する。入口２と出口３の変圧室４側開口端に内輪弁座６と外輪弁座７を同心円状で同一平面に形成してその間に環状溝８を形成する。内外輪弁座６，７に離着座する円板状の弁ディスク１１を変圧室４内に配置する。入口２と変圧室４は内輪弁座６に形成した入口通路９を介して連通し、変圧室４と出口３は環状溝８の一部から形成した出口通路１０を介して連通する。
【００１０】
出口通路１０にバイメタル１３を配置する。バイメタル１３はその中段を外輪弁座７の横孔１４にねじ込んだ固定部材１５により固定して出口通路１０に配置する。バイメタルは熱膨張係数の異なる２種類の金属または合金を強固に一体に接着して板状に仕上げたもので、温度変化に応じて湾曲するものであり、本実施の形態のバイメタル１３は、短冊状のバイメタル平板を螺旋状に巻いて作ったつる巻き形をもう一度螺旋状に巻いて２重つる巻き形に形成する。最初のつる巻き形のときに内側が高膨張材料に外側が低膨張材料に成るようにする。このつる巻き形の場合、低温になると半径が小さくなり長さが長くなり、高温になるとこれとは逆に作用する。そして、これを用いて作った２重つる巻き形の場合、低温になると半径が小さくなり長さが長くなり、高温になるとこれとは逆に作用する。バイメタル１３は伸張あるいは収縮するときにバイメタル１３の表面が環状溝８と出口通路１０の接続部１６及び環状溝８と出口通路１０の接続部１６の下方の出口通路１０に付着した異物に摺接して環状溝８と出口通路１０の接続部１６及び環状溝８と出口通路１０の接続部１６の下方の出口通路１０に付着した異物を掃除する。
【００１１】
上記実施の形態の作動を説明する。トラップ本体が低温の場合、バイメタル１３は伸長して弁ディスク１１の出口通路１０に対面する部分を持上げて内外輪弁座６，７から離座開弁させ、低温の復水や空気を環状溝８から出口通路１０を通して出口３に排出する。高温復水が流入してくると、バイメタル１３は収縮して弁ディスク１１に干渉しなくなる。入口通路９を介して弁ディスク１１に作用する入口２側の流体圧力により、弁ディスク１１は開弁し、高温復水を環状溝８から出口通路１０を通して出口３に排出する。高温復水が排出されて蒸気が内外輪弁座６，７と弁ディスク１１の間を高速に通過することによって内外輪弁座６，７と弁ディスク１１の間の圧力が低下し、また蒸気が変圧室４に回り込み変圧室４の圧力が上昇することによって、弁ディスク１１が閉弁する。そして、変圧室４内の蒸気が放熱等により凝縮しその蒸気圧力が低下してくると、弁ディスク１１は開弁する。また、空気が変圧室４に回り込むと弁ディスク１１は閉弁するが、変圧室４内の温度が低下するとバイメタル１１が伸長して弁ディスク１１の出口通路１０に対面する部分を持上げて内外輪弁座６，７から離座開弁させ、エアバインディングを解消する。バイメタル１３が伸張あるいは収縮するときにバイメタル１３の表面が環状溝８と出口通路１０の接続部１６及び環状溝８と出口通路１０の接続部１６の下方の出口通路１０に付着した異物に摺接して環状溝８と出口通路１０の接続部１６及び環状溝８と出口通路１０の接続部１６の下方の出口通路１０に付着した異物を掃除する。
【産業上の利用可能性】
【００１２】
本発明は、蒸気配管系に発生する復水を自動的に排出するディスク式スチームトラップに利用することができる。
【符号の説明】
【００１３】
１  本体
２  入口
３  出口
４  変圧室
５  蓋部材
６  内輪弁座
７  外輪弁座
８  環状溝
９  入口通路
１０  出口通路
１１  弁ディスク
１３  バイメタル
１４  横孔
１５  固定部材
１６  環状溝と出口通路の接続部
【図１】
2014173630.tif 000003